(57)【要約】【課題】かご室内に閉じ込められた乗客を襲う緊張感を緩和するエレベータ装置を提供する。【解決手段】エレベータ装置は、かごを昇降路内で昇降することにより乗客を運搬し、かごが階床間の昇降路内に停車し乗客が閉じ込められたときかごの側壁にかご室内から昇降路内につながる通気穴が出現する。また、かごの側壁は、穴が空けられた内壁と、内壁の穴に対向する位置に穴が空けられた外壁と、通常内壁の穴から外壁の穴を見通せないように遮るとともにかごが階床間の昇降路内に停車して乗客が閉じ込められたときだけ内壁の穴から外壁の穴を見通せるように開く遮蔽板と、を備える。【選択図】図２
2010105759.tif 000002
【特許請求の範囲】
【請求項１】
かごを昇降路内で昇降することにより乗客を運搬するエレベータ装置において、
上記かごが階床間の上記昇降路内に停車し乗客が閉じ込められたとき上記かごの側壁に上記かご室内から上記昇降路内につながる通気穴が出現することを特徴とするエレベータ装置。
【請求項２】
上記かごの側壁は、穴が空けられた内壁と、上記内壁の穴に対向する位置に穴が空けられた外壁と、通常上記内壁の穴から上記外壁の穴を見通せないように遮るとともに上記かごが階床間の昇降路内に停車して乗客が閉じ込められたときだけ上記内壁の穴から上記外壁の穴を見通せるように開く遮蔽板と、を備えることを特徴とする請求項１に記載のエレベータ装置。
【請求項３】
上記かごの側壁に穴が空けられており、
通常上記側壁の穴を乗客が視認できないように隠すとともに上記かごが階床間の上記昇降路内に停車して乗客が閉じ込められたときだけ上記側壁の穴を乗客が視認できるように引きだされる引き出し椅子を備えることを特徴とする請求項１に記載のエレベータ装置。
【発明の詳細な説明】
【技術分野】
【０００１】
この発明は、乗客を運搬するエレベータ装置に関するものである。
【背景技術】
【０００２】
従来のエレベータでは、停電時に、空調機の運転が停止され、また、ソレノイドの励磁により換気経路切換弁が駆動されると共に、排気用換気ファンが運転される。したがって、換気経路は、最短経路で外気導入口からかご室内に到達し、更に排気用換気ファンにより外部へ排出される（例えば、特許文献１参照）。
【０００３】
【特許文献１】特開２００８−１４３６６１号公報
【発明の開示】
【発明が解決しようとする課題】
【０００４】
しかし、地震や故障でかごが階床間に停止してしまい乗客が閉じ込められたとき、狭いかご室内に閉じ込められたということから空気が十分に供給されていても心理的に窒息してしまうという極度の緊張感に襲われてしまうという問題がある。
【０００５】
この発明の目的は、かご室内に閉じ込められた乗客を襲う緊張感を緩和するエレベータ装置を提供することである。
【課題を解決するための手段】
【０００６】
この発明に係るエレベータ装置は、かごを昇降路内で昇降することにより乗客を運搬するエレベータ装置において、上記かごが階床間の上記昇降路内に停車し乗客が閉じ込められたとき上記かごの側壁に上記かご室内から上記昇降路内につながる通気穴が出現する。
【発明の効果】
【０００７】
この発明に係るエレベータ装置の効果は、地震や故障によりかごが階床間に停止してしまい乗客がかご内に閉じ込められたとき、側壁に昇降路に連なる通気穴が乗客に見える形で出現するので、かご内に閉じ込められた乗客が閉所に長く居て息苦しいと感じることを低減することができることである。
【発明を実施するための最良の形態】
【０００８】
実施の形態１．
図１は、この発明の実施の形態１に係るエレベータ装置の概略図である。図２は、この発明の実施の形態１に係るかごの側壁の断面図である。
この発明の実施の形態１に係るエレベータ装置は、昇降路１内を昇降して乗客を運搬するかご２、および、かご２が階床間の昇降路１内に停止してしまい乗客が閉じ込まれたとき作動する緊張感緩和装置３を備える。
かご２では、かご２の図示しない躯体フレームの上に配置された床板４の上に配置された側壁５に、かご２が階床間の昇降路１内に停止してしまったときかご室内から昇降路１を見通せるよう、通気穴６が設けられている。通気穴６でも、かご２が通常に走行および階床に停止されているときにはかご室内から昇降路１を見通すことはできない。
そして、通気穴６は、側壁５の内壁７に空けられた内壁穴８と、内壁７に空けられた内壁穴８とかご室内から見て重なる位置の側壁５の外壁９に空けられた外壁穴１０と、内壁７と外壁９との間に配置されるとともにかご２の状態に従って内壁７に空けられた内壁穴８と外壁９に空けられた外壁穴１０との間を開閉する遮蔽板１１と、を有する。
内壁７に空けられた内壁穴８には、人の手が誤って入らないよう、メッシュ状の部材が嵌入されている。
遮蔽板１１には吊上部１２が固定されている。
【０００９】
緊張感緩和装置３は、かご２が通常に走行および階床に停止されているときには側壁５に空けられた内壁穴８と外壁穴１０とが閉じるように、遮蔽板１１を遮蔽位置に保持し、またかご２が階床間の昇降路１内に停止してしまったときには側壁５に空けられた内壁穴８と外壁穴１０とが見通せるように、遮蔽板１１を開放位置に移動する遮蔽板保持機構１３と、エレベータ制御装置からかご２が階床間の昇降路１内に停止してしまったことの情報を得たとき解除指令を遮蔽板保持機構１３に送る緩和制御装置１４と、を備える。
【００１０】
遮蔽板保持機構１３は、遮蔽板１１の吊上部１２を掴んで上方に吊り上げて、内壁７に空けられた内壁穴８と外壁９に空けられた外壁穴１０との間を閉じるような位置に遮蔽板１１を保持するフック１５と、フック１５から吊上部１２を外して内壁７に空けられた内壁穴８と外壁９に空けられた外壁穴１０との間を開く位置に遮蔽板１１が落下できるようにするスイッチ１６と、を備える。
【００１１】
次に、かご２が地震や故障により階床間に停止してしまい乗客がかご２内に閉じ込められたときに緊張感を緩和する手順を説明する。
地震や故障によりかご２が階床間に停止したときエレベータ制御装置はこの事態を検知してこれに関する情報を緩和制御装置１４に提供する。
緩和制御装置１４は、エレベータ制御装置からかご２が階床間に異常停止したことの情報を受けたとき遮蔽板１１の保持の解除指令を遮蔽板保持機構１３に発令する。
遮蔽板保持機構１３では、解除指令が入力されるとスイッチ１６がＯＮされ、フック１５が開いて吊上部１２と一緒に遮蔽板１１が落下する。すると、遮蔽板１１により遮られていた外壁９に空けられた外壁穴１０が内壁７に空けられた内壁穴８から見通せて、その先に昇降路１が確認できる。
【００１２】
このように地震や故障によりかご２が階床間に停止してしまい乗客がかご２内に閉じ込められたとき、側壁５に昇降路１に連なる空気の通路が乗客に見える形で出現するので、かご２内に閉じ込められた乗客が閉所に長く居て息苦しいと感じることを低減することができる。
【００１３】
実施の形態２．
図３は、この発明の実施の形態２に係るエレベータ装置の概略図である。図４は、この発明の実施の形態２に係るかごの側壁に設けられた貫通部の斜視図である。
この発明の実施の形態２に係るエレベータ装置は、昇降路１内を昇降して乗客を運搬するかご２、および、かご２が階床間の昇降路１内に停止してしまい乗客が閉じ込まれたとき作動する緊張感緩和装置３Ｂを備える。
かご２では、かご２の図示しない躯体フレームの上に配置された床板４の上に配置された側壁５に、かご２が階床間の昇降路１内に停止してしまったときかご室内から昇降路１を見通せるよう、通気穴６Ｂが設けられている。通気穴６Ｂでも、かご２が通常に走行および階床に停止されているときにはかご室内から昇降路１を見通すことはできない。
そして、通気穴６Ｂは、側壁５に空けられた穴２１と、畳み込まれたとき側壁５に空けられた穴２１を閉じ、引き出されたとき側壁５に空けられた穴２１から昇降路１を見通せるようになる引き出し椅子２２と、を備える。
【００１４】
緊張感緩和装置３Ｂは、かご２が通常に走行および階床に停止されているときには側壁５に空けられた穴２１が閉じるように、引き出し椅子２２を遮蔽位置に保持し、またかご２が階床間の昇降路１内に停止してしまったときには側壁５に空けられた穴２１が出現するように、引き出し椅子２２を開放位置に移動する引き出し椅子保持機構２３と、エレベータ制御装置からかご２が階床間の昇降路１内に停止してしまったことの情報を得たとき解除指令を引き出し椅子２２に送る緩和制御装置１４Ｂと、を備える。
引き出し椅子２２では、座２４の一辺２４ａが回転自在に支持され、図４（ａ）に示すように遮蔽位置と開放位置との間を回動する。そして、遮蔽位置の引き出し椅子２２は、回転自在に支持された辺２４ａに対向する辺２４ｂが側壁５に接するように立てられ、座２４が鉛直に位置する。一方、開放位置の引き出し椅子２２は、座２４が水平に位置する。
【００１５】
引き出し椅子保持機構２３は、引き出し椅子２２の座２４の辺２４ｂを掴んで座２４が鉛直になるように配置して、側壁５に空けられた穴２１を閉じるような位置に引き出し椅子２２を保持する引っ掛け爪２５と、引っ掛け爪２５から座２４の辺２４ｂを外して側壁５に空けられた穴２１を開く位置に引き出し椅子２２できるようにするスイッチ２６と、を備える。
【００１６】
次に、かご２が地震や故障により階床間に停止してしまい乗客がかご２内に閉じ込められたときに緊張感を緩和する手順を説明する。
地震や故障によりかご２が階床間に停止したときエレベータ制御装置はこの事態を検知してこれに関する情報を緩和制御装置１４に提供する。
緩和制御装置１４Ｂは、エレベータ制御装置からかご２が階床間に異常停止したことの情報を受けたとき引き出し椅子２２の畳み込みを解除する解除指令を引き出し椅子保持機構２３に発令する。
引き出し椅子保持機構２３では、解除指令が入力されるとスイッチ２６がＯＮされ、引っ掛け爪２５が開いて座２４を鉛直に保持する力が無くなり座２４が水平位置に回動する。すると、鉛直状態の引き出し椅子２２により遮られていた外壁９に空けられた外壁穴２１が表れて、その先に昇降路１が確認できる。
【００１７】
このように地震や故障によりかご２が階床間に停止してしまい乗客がかご２内に閉じ込められたとき、側壁５に昇降路１に連なる空気の通路が乗客に見える形で出現するので、かご２内に閉じ込められた乗客が閉所に長く居て息苦しいと感じることを低減することができる。
また、引き出し椅子２２が引き出されて閉じ込められた乗客が腰掛けて待つことができるので、楽な姿勢で待つことができる。
【図面の簡単な説明】
【００１８】
【図１】この発明の実施の形態１に係るエレベータ装置の概略図である。
【図２】この発明の実施の形態１に係るかごの側壁の断面図である。
【図３】この発明の実施の形態２に係るエレベータ装置の概略図である。
【図４】この発明の実施の形態２に係るかごの側壁に設けられた通気穴の斜視図である。
【符号の説明】
【００１９】
１  昇降路、２  かご、３、３Ｂ  緊張感緩和装置、４  床板、５  側壁、６、６Ｂ  通気穴、７  内壁、８  内壁穴、９  外壁、１０  外壁穴、１１  遮蔽板、１２  吊上部、１３  遮蔽板保持機構、１４、１４Ｂ  緩和制御装置、１５  フック、１６  スイッチ、２１  外壁穴、２２  引き出し椅子、２３  椅子保持機構、２４  座、２４ａ  （座の）一辺、２４ｂ  （座の）辺、２５  引っ掛け爪、２６  スイッチ。
【図１】
2010105759.tif 000003
【図２】
2010105759.tif 000004
【図３】
2010105759.tif 000005
【図４】
2010105759.tif 000006